(57)【特許請求の範囲】
【請求項１】
アルミニウム等の金属材又は合成樹脂材を、正面視ほぼ四角形をなす枠体に形成し、該枠体にプラスチック又は金属等の板状のスクリーン素材、又は、サランネットや布製等のスクリーン素材のいずれかを張設したデスクパネルにおいて、長さ方向に沿って１本又は２本以上の溝を設けた前記枠体の左，右側の枠部材に、当該枠部材を外面から抱持すると共にその枠部材に上下方向でスライドして固定されるブラケット部材を、当該ブラケット部材の抱持部の爪が前記溝に引掛け支持されるようにして設け、かつ、該ブラケット部材を天板の縁に取付けられるクランプ部材に取付けたことを特徴とするデスクパネル。
【請求項２】
２本以上の溝を設けた枠体は、ブラケット部材の抱持部の爪を引掛け支持させた溝以外の他の溝にスクリーン素材の周縁を止着するようにした請求項１のデスクパネル。
【請求項３】
ブラケット部材の抱持部の内面と枠体の外面の間にはバネ部材を介在させてデスクパネルの枠体を前記抱持部に対しスライドして固定できるように支持した請求項１又は２のデスクパネル。
【請求項４】
バネ部材は弯曲凸面を持つ板バネとして抱持部の内面に設け、枠体の外面には前記バネ部材の弯曲凸面を受入れる凹部を等ピッチで形成した請求項３のデスクパネル。
【請求項５】
ブラケット部材の抱持部と枠体は押えネジにより固定するようにした請求項１又は２のデスクパネル。
【発明の詳細な説明】
【０００１】
【発明の属する技術分野】
本発明は、デスク，テーブル，カウンターなど（以下、これらを単にデスクという）の天板に取付け、かつ、高さを自由に変更できるようにしたデスクパネルに関するものである。
【０００２】
【従来の技術】
従来より、例えば、デスク天板の前端に設ける、対向隣接したデスク等との境界を仕切るためのデスクパネルが公知である。また、高さが1000〜1300mm程度の間仕切パネルを前後から挟んでデスクを配置したり、或は、前記パネルに支持される天板を当該パネルの前後両面設けて対向隣接するデスク同士の境界を仕切るようにしたデスクパネルも公知である。
【０００３】
しかし、公知のデスクパネルは、高さが固定されたものであるためパネルの高さを変えたい場合には、パネル自体を取替える必要があってコストがかかるのみならず、取外したパネルは、使用可能であっても使う場所がないと廃棄せざるを得ないなど、取替えた後の取扱いにも苦慮していた。また、従来のパネルは、遮光タイプ，採光タイプではパネル面の機能，構造が異なるため、パネルのタイプを遮光，採光間で変更したい場合にも、上述の取替えと同様の問題があった。
【０００４】
【発明が解決しようとする課題】
本発明は以上のような点に鑑み、デスクの天板に取付けられたパネルの高さを自由に変更することができるほか、必要に応じパネルの張設材の変更も任意になし得るデスクパネルを提供することを課題とするものである。
【０００５】
【課題を解決するための手段】
上記課題を解決することを目的としてなされた本発明デスクパネルの構成は、アルミニウム等の金属材又は合成樹脂材を、正面視ほぼ四角形をなす枠体に形成し、該枠体にプラスチック又は金属等の板状のスクリーン素材、又は、サランネットや布製等のスクリーン素材のいずれかを張設したデスクパネルにおいて、長さ方向に沿って１本又は２本以上の溝を設けた前記枠体の左，右側の枠部材に、当該枠部材を外面から抱持すると共にその枠部材に上下方向でスライドして固定されるブラケット部材を、当該ブラケット部材の抱持部の爪が前記溝に引掛け支持されるようにして設け、かつ、該ブラケット部材を天板の縁に取付けられるクランプ部材に取付けたことを特徴とするものである。
【０００６】
【発明の実施の形態】
次に本発明デスクパネルの実施の形態について図に拠り説明する。図１は本発明デスクスクリーンの一例の正面図、図２は図１のパネルの側面図、図３は図１のパネルの要部の正面図、図４は図３のパネルの側断面図、図５は図３のパネルの平断面図である。
【０００７】
図１，図２において、１は正面からみて略矩形状に形成した本発明パネルの枠体で、ここでは図５の平断面図に例示した断面を有する枠部材２を正面矩形の枠状に曲げて形成されている。ここで、枠部材２は、アルミニウム等の金属の合成樹脂の押出等の加工により断面略Ｘ状をなすように形成されている。なお、枠体１の正面形状は図示した四角形のほか、上辺、又は、上，下辺がアーチ状などに弯曲した異形の四角形、或は、その他の正面形状であってもよい。
【０００８】
図５に示す枠部材２において、2a，2bは断面で直交したクロスメンバ、2cは前記両メンバ2a，2bの両端にそれと略直交する方向に形成した部分周壁で、この枠部材２は前記クロスメンバ2a，2bのと各周壁2cによって枠体１の外周上の四方に外部に向って開放された開口を持つ溝部2d，2e，2f，2gが形成されている。
【０００９】
本発明パネルを形成する枠体１は、必ずしも上記のような溝2d〜2gをその断面外周上に具備する枠部材２に限られず、後述するスクリーン素材を張設できるものであれば、溝のない枠部材２であってもよい。また、溝を設ける場合、溝2d〜2gの数は、１〜４，５本の範囲で任意に形成できる。更に、枠体１の平面形状も、図示したフラットなもののほか、平面から視て弯曲させたものであってもよい。
【００１０】
３は上記枠体１に張設したスクリーン素材で、本発明では、合成樹脂製又は金属製、或は、木質系の硬質の板材、又は、この板材にパンチング加工穴を設けた板材や布張り等の表面加工をした板材、或は、サランネットや透過性布地材のように柔軟なシート状の素材を選択的に用いる。そして、硬質の板材によるスクリーン素材３の場合、枠体１の内側面に位置する溝2dに、この素材３の周縁を嵌合保持させて、枠体１に張設する。一方、スクリーン素材がサランネットのように柔軟なスクリーン素材31であるときは、図５に例示するように、この素材31の周縁を、それを巻付けた芯材31aと一緒に溝、ここでは枠体１の後面の溝2gに嵌合して柔軟なスクリーン素材を張設する。
【００１１】
なお、柔軟なスクリーン素材31の枠体１への張設は、溝2dや溝2eにおいても行うことができ、硬質のスクリーン素材３と柔軟なスクリーン素材31とを異なる溝に支持させて二重に、或は、柔軟なスクリーン素材31を異なる溝に支持させて二重に張設することもできる。また、上記の溝2e〜2gが設けられない枠体１に対しても、上記のスクリーン素材３又は31は、枠体１への接着，溶着，鋲止めなどにより勿論張設することが可能である。
【００１２】
上記のように形成される本発明デスクパネルＰは、これをデスク天板Ｔbに取付けるため、次の構成を具備している。即ち、前記枠体１における左右側の枠部材２を、その正面側から密着抱持すると共に、先端に前記枠体１の外周側の溝2fに係合される係止爪4aを形成した平面視略半円弧状をなす枠体抱持部４を有し、かつ、前記パネル面に平行な板状ブラケット部材５と、該ブラケット部材５の中間部の手前側に設けた横向きＵ字状をなし、かつ、押付けネジ6aを下側片62に設けたクランプ部材６とを、具備しているのである。なお、クランプ部材６において、6bは押付けねジ6aの上端に設けた押え座、6cはネジ6aの操作ノブ、6dはクランプ部材６の上側片61の下面に設けたパッド材である。
【００１３】
上記のブラケット部材５において、その枠体抱持部４の内面には、上，下で２ヶ所の係止突起7aを形成した細長い板バネ７が、その突起7aを枠体１側に向けてピン7bにより止められている。一方、枠体１における左，右側の枠部材２の前面（手前側）には、前記板バネ７の突起7aを係合させる凹部８が前記２つの突起7aの間隔と整合したピッチで設けられている。
【００１４】
上記のブラケット部材５における枠体抱持部４の係止爪4a，該抱持部４の平断面形状，板バネ７の突起7a，この突起7aを嵌入する枠体１の凹部８によって、本発明デスクパネルの枠体１は、枠体抱持部４を有するブラケット部材５を介してクランプ部材６に支持されることとなるので、このクランプ部材６をデスク天板Ｔbの例えば前縁に嵌め、押付けネジ6aを締付けることにより、デスクパネルＰをデスク天板Ｔbに取付けることができる。
【００１５】
この取付け状態において、デスクパネルＰの高さを変更したい場合、このパネルＰの枠体１の左右の部材２を掴み、枠体１を前記バネ７の力に抗して上方又は下方へ移動させる力を加えることにより、板バネ７の突起7aを、それが嵌入している凹部８から離脱させ、バネ７の突起7aを次の凹部８、或は、所望の高さに位置する凹部８に嵌入させることにより、このパネルＰの天板Ｔbに対する高さを変更することができる。このデスクパネルＰは、天板Ｔbより上方がスクリーンパネルとして、天板Ｔbより下方がいわば幕板として機能するので、パネルＰの上方側を天板Ｔbに対して低く位置付けるとパネルＰの下方側は天板Ｔbに対してより低い位置まで降下することとなる。
【００１６】
なお、枠体抱持部４の断面形状は、枠部材２の断面を前後から抱持する形状、例えば、平面視横向きＵ字状，半円状などに形成し、この抱持部４のスプリング力、又は、前記例と同態様で入れた板バネ７により、このパネルＰを支持するようにしてもよい。また、本発明においては、突起7aを有する前記板バネ７に代えてクランプ部材６の押付けネジ6aと同旨の止めネジ（図示せず）を枠体抱持部４に設けるようにしてもよい。
【００１７】
【発明の効果】
本発明は以上の通りであって、デスク等の天板に取付けるパネルの高さを自由に変更できるようにし、また、この上，下機能とパネル面を形成するスクリーン素材を自由に取替えできる機能を持たせたので、従来のデスクパネルのように高さが固定されているため高さを変えることに対応できないとか、或は、高さ変更のために買替えなければならないという問題を全面的に解決できる。
【００１８】
また、パネル面を形成するスクリーン素材を、硬質料材，柔軟材料、或は、透光性材料，遮光性材料のいずれであっても、必要なものを選択してパネルの枠体に取替え可能に取付けることができるように形成したので、上記の高さ調節機能と相俟って、デスクパネルとしてきわめて実用性が高い。
【図面の簡単な説明】
【図１】  本発明デスクスクリーンの一例の正面図。
【図２】  図１のパネルの側面図。
【図３】  図１のパネルの要部の正面図。
【図４】  図３のパネルの側断面図。
【図５】  図３のパネルの平断面図。
【符号の説明】
１        枠体
２        枠部材
2a，2b    クロスメンバ
2c        部分周壁
2d，2e，2f，2g  開口を持つ溝部
３        硬質のスクリーン素材
31        柔軟なスクリーン素材
４        枠体抱持部
4a        係止爪
５        ブラケット部材
６        クランプ部材
6a        押付けネジ
6b        押え座
6c        操作ノブ
6d        パッド材
７        板バネ
7a        係止突起
7b        ピン
８        凹部
Ｐ        デスクパネル
【図１】
0003890105.tif 000002
【図２】
0003890105.tif 000003
【図３】
0003890105.tif 000004
【図４】
0003890105.tif 000005
【図５】
0003890105.tif 000006